【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
移動端末とカメラを組み合わせた装置であって、
複数のボタンを有するキーパッド（２４）を備える筐体（２００）であって、前記キーパッドの少なくとも１つのボタン（３８）が前記筐体（２００）の第１の部分（１００）に配置されると共に、前記キーパッド（２４）の他の少なくとも１つのボタン（１３８）が、前記筐体の残りの第２の部分に配置される筐体と、
前記筐体（２００）内に配置され、信号を送信及び受信するための無線送受信機（１８）と、
前記筐体の第１の部分（１００）と一体化されたカメラデバイス（３２）とを有し、
前記カメラデバイス（３２）及び、前記カメラデバイス（３２）が一体化されている前記筐体の前記第１の部分（１００）は、前記筐体（２００）の前記第２の部分（２１０）と実質的に整列する第１の位置と、前記筐体（２００）の前記第２の部分（２１０）とずれた第２の位置との間で移動可能であることを特徴とする装置。
【請求項２】
前記筐体（２００）の前記第１の部分（１００）に配置される、前記キーパッド（２４）の前記少なくとも１つのボタン（３８）が、前記第１の部分（１００）が前記第１の位置にある場合には移動端末機能を制御し、前記第１の部分（１００）が前記第２の位置にある場合には、カメラ機能を制御することを特徴とする請求項１記載の装置。
【請求項３】
前記筐体の前記第２の部分（２１０）に配置される、前記キーパッド（２４）の前記少なくとも１つの他のボタン（１３８）が、前記第１の部分（１００）が前記第１の位置にある場合には移動端末機能を制御し、前記第１の部分（１００）が前記第２の位置にある場合には、カメラ機能を制御することを特徴とする請求項１記載の装置。
【請求項４】
前記カメラデバイス（３２）が選択可能な光学系（５０）を有することを特徴とする請求項１記載の装置。
【請求項５】
表示装置（２６）をさらに備え、前記第１の部分（１００）が実質的に前記筐体（２００）の前記第２の部分（２１０）と整列した状態にある場合、前記カメラデバイス（３２）が前記表示装置（２６）と実質的に平行な方向を向くことを特徴とする請求項１記載の装置。
【請求項６】
前記カメラデバイス（３２）の回転位置を検出するための、前記第１の部分と一体化された位置センサ（８０）をさらに備えることを特徴とする請求項１記載の装置。
【請求項７】
移動通信装置を選択的に動作させるための方法であって、
複数の方向から選択的に画像を取得するため、第１のボタン（３８）及び第２のボタン（１３８）を備えるキーパッド（２４）を含む移動通信装置（１０）に、選択可能な光学系（５０）を有する回転可能なカメラ（１００）を設け、
前記回転可能なカメラ（１００）を前記第１（３８）及び第２（１３８）のボタンが整列した第１の位置に置いている間、前記移動通信装置（１０）を通信モードで動作させ、
前記回転可能なカメラ（１００）を前記第１（３８）及び第２（１３８）のボタンが整列していない第２の位置に置いている間、前記移動通信装置（１０）をカメラモードで動作させることを特徴とする方法。
【請求項８】
さらに、前記移動通信装置（１０）を前記通信モード又は前記カメラモードの１つで選択的に動作させるために、前記回転可能なカメラ（１００）の位置を検出（８０）するステップをさらに有することを特徴とする請求項７記載の方法。
【請求項９】
前記回転可能なカメラ（１００）を前記第１の位置に置くステップが、前記カメラ（１００）を前記移動通信装置の表示装置（２６）又はキーパッド（２４）に実質的に平行な方向を向かせるステップを含むことを特徴とする請求項７記載の方法。
【請求項１０】
前記移動通信装置（１０）を前記カメラモードで動作させるステップが、前記選択可能な光学系（５０）を調整するステップを有することを特徴とする請求項７記載の方法。
【手続補正２】
【補正対象書類名】明細書
【補正対象項目名】０００７
【補正方法】変更
【補正の内容】
【０００７】
カメラは、カメラ内の光路へ出入り可能であって良い可動光学素子を含む。あるいは、光学素子は、カメラ内の光路に沿って移動可能であっても良い。可動光学系は、調整可能なズーム、調整可能なフォーカス、選択可能な視野又は他の画像調整を含みうる。さらに、光学系は機械的あるいは電子的に調整可能であって良い。
例示的な実施形態は、筐体と、無線送受信機と、カメラデバイスとを備えた、移動端末とカメラを組み合わせた装置を含む。前記筐体は複数のボタンを有するキーパッドを備え、前記キーパッドの少なくとも１つのボタンが前記筐体の第１の部分に配置されると共に、前記キーパッドの他の少なくとも１つのボタンが、前記筐体の残りの第２の部分に配置される。前記無線送受信機は前記筐体内に配置され、信号を送信及び受信する。前記カメラデバイスは、前記筐体の第１の部分と一体化され、前記カメラデバイス及び、前記カメラデバイスが一体化されている前記筐体の前記第１の部分は、前記筐体の前記第２の部分と実質的に整列する第１の位置と、前記筐体の前記第２の部分とずれた第２の位置との間で移動可能である。
移動端末とカメラを組み合わせた装置の一例において、前記筐体の前記第１の部分に配置される、前記キーパッドの前記少なくとも１つのボタンが、前記第１の部分が前記第１の位置にある場合には移動端末機能を制御し、前記第１の部分が前記第２の位置にある場合には、カメラ機能を制御する。
移動端末とカメラを組み合わせた装置の一例において、前記筐体の前記第２の部分に配置される、前記キーパッドの前記少なくとも１つの他のボタンが、前記第１の部分が前記第１の位置にある場合には移動端末機能を制御し、前記第１の部分が前記第２の位置にある場合には、カメラ機能を制御する。
移動端末とカメラを組み合わせた装置の一例において、前記筐体の前記第１の部分に配置される、前記キーパッドの前記少なくとも１つのボタンが、電話キーパッドの＊，０，及び＃ボタンを含む。
移動端末とカメラを組み合わせた装置の一例において、前記カメラデバイスが選択可能な光学系を有する。
移動端末とカメラを組み合わせた装置の一例において、前記選択可能な光学系が、調整可能なズームを備える。
移動端末とカメラを組み合わせた装置の一例において、前記選択可能な光学系が、調整可能なフォーカスを備える。
移動端末とカメラを組み合わせた装置の一例において、前記選択可能な光学系が、選択可能な視野を備える。
例示的な、移動端末とカメラを組み合わせた装置は、表示装置をさらに備えてもよく、前記第１の部分が実質的に前記筐体の前記第２の部分と整列した状態にある場合、前記カメラデバイスが前記表示装置と実質的に平行な方向を向く。
移動端末とカメラを組み合わせた装置の一例において、前記カメラデバイスがさらに、ビューファインダを備える。
本発明の例示的な実施形態はさらに、筐体と、前記筐体内に配置され、信号を送信及び受信するための無線送受信機と、前記筐体に対して回転可能なカメラと、ユーザ入力用の複数のボタンを有するキーパッドとを有し、前記キーパッドの少なくとも１つのボタンが前記カメラとともに回転可能であり、前記カメラは、前記カメラとともに回転可能な前記キーパッドの前記少なくとも１つのボタンが、前記キーパッドの残りのボタンと整列する第１の位置と、前記カメラとともに回転可能な前記キーパッドの前記少なくとも１つのボタンが、前記キーパッドの残りのボタンと整列しない第２の位置との間で回転可能である移動通信装置を含む。
移動通信装置の一例において、前記カメラとともに回転可能な、前記キーパッドの前記少なくとも１つのボタンが、電話キーパッドの＊，０，及び＃ボタンを含む。
例示的な移動通信装置は、前記カメラの回転位置を検出する位置センサをさらに備えてもよい。
移動通信装置の一例において、前記カメラが、前記キーパッドと実質的に平行な軸に関して３６０°回転可能である。
移動通信装置の一例において、前記カメラが、前記キーパッドと実質的に平行な軸に関して約９０°以上の範囲で回転可能である。
例示的な移動通信装置は、前記カメラ内に、光学素子をさらに備えてもよい。
移動通信装置の一例において、前記光学素子が、前記カメラ内部の光路に出入り可能な移動可能素子を備える。
移動通信装置の一例において、前記移動可能な光学素子が、前記光路へ出入りするように電子的に移動可能である。
移動通信装置の一例において、前記移動可能な光学素子が、手動で移動可能である。
移動通信装置の一例において、前記光学素子が、前記カメラ内部の光路に沿って移動可能な素子を備える。
移動通信装置の一例において、前記移動可能な光学素子が、前記光路に沿って電子的に移動可能である。
移動通信装置の一例において、前記移動可能な光学素子が、手動で移動可能である。
例示的な移動通信装置は、前記カメラ内に配置された、ビューファインダをさらに備えてもよい。
移動通信装置の一例において、前記ビューファインダがＬＣＤディスプレイを備える。
移動通信装置の一例において、前記ビューファインダが、前記カメラに入射した画像を見るためのビームスプリッタを備える。
本発明の例示的な実施形態はさらに、移動端末とカメラを組み合わせた装置を含む。例示的な、移動端末とカメラを組み合わせた装置は、整列された第１及び第２のボタンを含むキーパッドを備えるユーザインタフェースを有する筐体と、前記筐体内に配置され、信号を送信及び受信するための無線送受信機と、前記筐体に一体化されたカメラデバイス及び関連光学系とを有し、前記カメラデバイス又は前記関連光学系のいずれかが、前記ユーザインタフェースと実質的に平行な方向を向いているとともに、前記カメラデバイスは、前記筐体の第２の部分に対して回転する前記筐体の回転可能な部分に一体化されており、前記第１のボタンは前記筐体の前記回転可能な部分に配置され、前記第２のボタンは前記筐体の前記第２の部分に配置される。
移動端末とカメラを組み合わせた装置の一例において、前記ユーザインタフェースは表示装置である。
移動端末とカメラを組み合わせた装置の一例において、前記ユーザインタフェースはキーパッドである。
移動端末とカメラを組み合わせた装置の一例において、前記筐体の回転可能な部分が、前記ユーザインタフェースに実質的に平行な向きの軸に関して回転する。
移動端末とカメラを組み合わせた装置の一例において、前記キーパッドの前記第１のボタンが、電話キーパッドの＊，０，又は＃ボタンを有する。
移動端末とカメラを組み合わせた装置の一例において、前記関連光学系が、可動レンズを備える。
本発明の例示的な実施形態はさらに、移動通信装置を選択的に動作させるための方法を含む。この例示的な方法は、複数の方向から選択的に画像を取得するため、第１のボタン及び第２のボタンを備えるキーパッドを含む移動通信装置に、選択可能な光学系を有する回転可能なカメラを設け、前記回転可能なカメラを前記第１及び第２のボタンが整列した第１の位置に置いている間、前記移動通信装置を通信モードで動作させ、前記回転可能なカメラを前記第１及び第２のボタンが整列していない第２の位置に置いている間、前記移動通信装置をカメラモードで動作させる。
例示的な方法はさらに、前記移動通信装置を前記通信モード又は前記カメラモードの１つで選択的に動作させるために、前記回転可能なカメラの位置を検出するステップをさらに有する。
方法の一例において、前記回転可能なカメラを前記第１の位置に置くステップが、前記カメラを前記移動通信装置のキーパッドに実質的に平行な方向を向かせるステップを含む。
方法の一例において、前記回転可能なカメラを前記第１の位置に置くステップが、前記カメラを前記移動通信装置の表示装置に実質的に平行な方向を向かせるステップを含む。
方法の一例において、前記移動通信装置を前記カメラモードで動作させるステップが、前記選択可能な光学系を調整するステップを有する。
方法の一例において、前記選択可能な光学系を調整するステップが、ズームレベルを調整するステップを有する。
方法の一例において、前記選択可能な光学系を調整するステップが、フォーカスレベルを調整するステップを有する。
方法の一例において、前記選択可能な光学系を調整するステップが、光路に光学素子を出入りさせるステップをさらに有する。
例示的な実施形態はさらに、移動端末とカメラを組み合わせた装置を動作させる方法を含む。この例示的な方法は、移動通信装置のユーザインタフェースパネルであって、整列した個々のボタンを含むユーザインタフェースパネルの背後に回転可能なカメラデバイスを設け、前記カメラデバイスを、前記ユーザインタフェースパネルと実質的に平行となるように選択的に回転させるとともに、キーパッドの個々のボタンに移動端末機能を割り当て、前記カメラデバイスを、前記ユーザインタフェースパネルと実質的に平行な位置以外に選択的に回転させるとともに、前記キーパッドの個々のボタンにカメラ機能を割り当て、前記キーパッドの最下行のボタンを、前記ユーザインタフェースパネルの、前記回転可能なカメラを選択的に回転させると同時に回転する部分に配置するとともに、前記キーパッドの他のボタンを、前記ユーザインタフェースパネルの、前記回転可能なカメラを選択的に回転させると同時に回転しない部分に配置する。
例示的な方法は、前記カメラの光軸を前記ユーザインタフェースパネルと実質的に平行な方向に揃えると同時に、移動端末グラフィックを表示装置に表示するステップと、前記カメラの光軸を前記ユーザインタフェースパネルと実質的に平行な方向以外に合わせると同時に、前記表示装置にカメラグラフィックを表示するステップとをさらに有してもよい。
例示的な方法は、前記カメラを前記ユーザインタフェースパネルと実質的に平行な位置以外に選択的に回転させる前に、前記カメラの対物レンズを露出させるステップをさらに有してもよい。
例示的な方法は、前記カメラを前記ユーザインタフェースパネルと実質的に平行な位置に選択的に回転させた後に、前記カメラの対物レンズを隠すステップをさらに有してもよい。
例示的な方法は、前記移動通信装置内に、前記カメラに関連する選択可能な光学系を配置するステップをさらに有してもよい。
例示的な方法は、前記キーパッドの前記ボタンを用いて、前記選択可能な光学系を調整するステップをさらに有してもよい。
例示的な方法は、アクチュエータを用いて、前記選択可能な光学系を手動で調整するステップをさらに有してもよい。